(57)【要約】【課題】安定して自立させることができる薄型直方体カートンを提供する。【解決手段】薄型直方体カートン１は，長方形の正面パネル12の短辺下縁に長方形の外側底面パネル31の長辺が，正面パネル12の長辺両側縁に正面パネル12より幅狭の長方形の左右の側面パネル11，13の長辺が，左側面パネル13の側縁に長方形の背面パネル14の長辺が，それぞれ連設されているパネル構成を備える型紙からつくられる。外側底面パネル31に折り線51に沿って内向きに屈曲するくせが付けられており，外側底面パネル31が外向きにある程度反ったとしても，接地箇所（正面パネルの下縁および背面パネルの下縁）を超えて外方に突出しにくく，自立不安定になりにくい。【選択図】図３
2019156476.tif 000002
【特許請求の範囲】
【請求項１】
長方形の正面パネルの短辺下縁に長方形の外側底面パネルの長辺が，上記正面パネルの長辺両側縁に上記正面パネルより幅狭の長方形の左右の側面パネルの長辺が，上記左右の側面パネルのいずれかの側縁に長方形の背面パネルの長辺が，それぞれ連設されているパネル構成を備える型紙からつくられる自立性薄型直方体カートンであって，
上記外側底面パネルに，側方からみて内向きに屈曲するまたは湾曲するくせが付けられていることを特徴とする，
自立性薄型直方体カートン。
【請求項２】
上記外側底面パネルに長手方向にのびる第１の折り線が形成されており，
上記第１の折り線に沿って上記外側底面パネルに内向きに屈曲するくせがつけられている，
請求項１に記載の自立性薄型直方体カートン。
【請求項３】
上記外側底面パネルの左右両側部のそれぞれにおいて，外側底面パネルの四隅と上記第１の折り線とを斜めに結ぶ第２の折り線が，上記外側底面パネルにさらに形成されており，
上記第１の折り線および第２の折り線に沿って上記外側底面パネルに内向きに屈曲するくせがつけられている，
請求項２に記載の自立性薄型直方体カートン。
【請求項４】
上記左右の側面パネルのそれぞれの下縁が，上記側面パネルの上縁に向かう向きに屈曲または湾曲している，
請求項１から３のいずれか一項に記載の自立性薄型直方体カートン。
【請求項５】
上記背面パネルの短辺下縁に長方形の内側底面パネルの長辺が連設されており，内側底面パネルにも，内向きに屈曲するまたは湾曲するくせがつけられている，
請求項１に記載の自立性薄型直方体カートン。
【請求項６】
上記背面パネルの短辺下縁に長方形の内側底面パネルの長辺が連設されており，
上記内側底面パネルに，内向きに屈曲するまたは湾曲するくせがつけられた上記外側底面パネルに対する干渉を避ける切欠きが形成されている，
請求項１に記載の自立性薄型直方体カートン。
【請求項７】
長方形の正面パネルの短辺下縁に長方形の外側底面パネルの長辺が，上記正面パネルの長辺両側縁に上記正面パネルより幅狭の長方形の左右の側面パネルの長辺が，上記左右の側面パネルのいずれかの側縁に長方形の背面パネルの長辺が，それぞれ連設されているパネル構成を備える型紙からつくられる自立性薄型直方体カートンの製造方法であって，
上記外側底面パネルを折る，または凸面を有する押し型を上記外側底面パネルの外面に押し付けることによって，側方からみて内向きに屈曲するまたは湾曲するくせを上記外側底面パネルに付ける，
自立性薄型直方体カートンの製造方法。
【発明の詳細な説明】
【技術分野】
【０００１】
この発明は自立性が高く，安定して自立させることができる薄型直方体カートンおよびその製造方法に関する。
【背景技術】
【０００２】
長方形の底面を備える薄型直方体カートンの底面は，側方から見て外方（下方）に向かって弧状に反りがちである。底面が外向きに反ると薄型直方体カートンは正面がわまたは背面がわに倒れやすくなる。
【０００３】
特許文献１は薄型直方体カートンを倒れにくくするために，正面ないし背面の下縁に切欠きを設け，底面部の正面がわおよび背面がわのそれぞれに下方に突出する脚部を形成するものを開示する。脚部を形成することでカートンを安定して自立させることができるが，脚部を形成する切欠きによって底面には穴があく。特許文献２は反りを抑えるために長方形の底板面に短辺に平行な方向の罫線を入れ，底板面の剛性を向上させたものを開示する。しかしながら，反りに完全に打ち勝つほどに剛性を向上させるのは難しく，脚部との併用を必要とする。
【先行技術文献】
【特許文献】
【０００４】
【特許文献１】特開２００６−１６３１号公報
【特許文献２】特開２００１−２１９９２９号公報
【発明の開示】
【０００５】
この発明は，薄型直方体カートンの底面パネルの外向きの反り（反り出し）を軽減または防止し，これによってカートンの自立安定性を向上することを目的とする。
【０００６】
この発明による自立性薄型直方体カートンは，長方形の正面パネルの短辺下縁に長方形の外側底面パネルの長辺が，上記正面パネルの長辺両側縁に上記正面パネルより幅狭の長方形の左右の側面パネルの長辺が，上記左右の側面パネルのいずれかの側縁に長方形の背面パネルの長辺が，それぞれ連設されているパネル構成を有する型紙からつくられるものであって，上記外側底面パネルに，側方からみて内向きに屈曲または湾曲するくせが付けられていることを特徴とする。
【０００７】
この発明は，自立性薄型直方体カートンの製造方法も提供する。この発明による自立性薄型直方体カートンの製造方法は，長方形の正面パネルの短辺下縁に長方形の外側底面パネルの長辺が，上記正面パネルの長辺両側縁に上記正面パネルより幅狭の長方形の左右の側面パネルの長辺が，上記左右の側面パネルのいずれかの側縁に長方形の背面パネルの長辺が，それぞれ連設されているパネル構成を備える型紙からつくられる自立性薄型直方体カートンの製造方法であって，上記外側底面パネルを折る，または凸面を有する押し型を上記外側底面パネルの外面に押し付けることによって，側方からみて内向きに屈曲するまたは湾曲するくせを上記外側底面パネルに付けることを特徴とする。外側底面パネルを折ることによるくせ付けは，典型的にはカートンを組み立てる前に行われる。外側底面パネルに押し型を押し付けることによるくせ付けは，典型的にはカートンを組み立てた後に行われる。
【０００８】
型紙を折ることで立体的につくられるカートンは，紙が持つ弾性（反発力）によって，折られる前の状態に戻ろうとする力がパネルに働く。正面パネルに連設された外側底面パネルは内向きに折られるので，外側底面パネルには外向きの力が生じて反りがちになる。この発明によると，外側底面パネルに側方からみて内向きに屈曲するまたは湾曲するくせがあらかじめ付けられているので，外側底面パネルが外向きにある程度反ったとしても，接地箇所（正面パネルの下縁および背面パネルの下縁）を超えて外方に突出しにくい。薄型直方体カートンの底面パネルの外向きの反り（反り出し）を軽減または防止することができ，薄型直方体カートンの自立安定化を図ることができる。
【０００９】
外側底面パネルにあらかじめ形成されるくせは，内向きに屈曲する屈曲面（谷折り）であってもよいし，内向きに湾曲する湾曲面であってもよい。外側底面パネルに内向きに屈曲する屈曲面を形成する場合には，好ましくは外側底面パネルに長手方向にのびる第１の折り線が形成される。第１の折り線に沿って外側底面パネルに内向きに屈曲するくせ（谷折りくせ）がつけられる。
【００１０】
一実施態様では，上記外側底面パネルの左右両側部のそれぞれにおいて，外側底面パネルの四隅と上記第１の折り線とを斜めに結ぶ第２の折り線が，上記外側底面パネルにさらに形成されており，上記第１の折り線および第２の折り線に沿って，上記外側底面パネルに内向きに屈曲するくせがつけられている。第１の折り線および第２の折り線に沿って外側底面パネルの中央部分に内向きの凹みがつけられる。
【００１１】
好ましくは，上記左右の側面パネルの下縁が，上記側面パネルの上縁に向かう向きに屈曲または湾曲している。内向きに屈曲または湾曲したくせ（凹み）がつけられる外側底面パネルの左右両縁部が左右の側面パネル（特にその下縁）に干渉しにくくなるので，外側底面パネルの全体にしっかりとした内向きのくせを付けることができる。
【００１２】
一実施態様では，上記背面パネルの短辺下縁に長方形の内側底面パネルの長辺が連設されており，内側底面パネルにも内向きに屈曲するまたは湾曲するくせがつけられている。内側底面パネルについても外方への反り出しを軽減することができる。
【００１３】
内側底面パネルについては内向きに屈曲するまたは湾曲するくせは必ずしも必須ではないが，くせを付けない場合であれば，内側底面パネルに，内向きに屈曲するまたは湾曲するくせがつけられた上記外側底面パネルに対する干渉を避ける切欠きを形成しておくのが好ましい。外側底面パネルを内向きに十分に屈曲または湾曲させることができる。
【図面の簡単な説明】
【００１４】
【図１】第１実施例の薄型直方体カートンの展開図である。
【図２】第１実施例の薄型直方体カートンの組み立ての様子を示す斜視図である。
【図３】第１実施例の薄型直方体カートンの斜視図である。
【図４】第２実施例の薄型直方体カートンの展開図である。
【図５】第２実施例の薄型直方体カートンと製函装置の一部とを示す斜視図である。
【図６】第３実施例の薄型直方体カートンの展開図である。
【図７】第３実施例の薄型直方体カートンの斜視図である。
【図８】第４実施例の薄型直方体カートンの展開図である。
【図９】第４実施例の薄型直方体カートンの斜視図である。
【図１０】第４実施例の変形例の薄型直方体カートンの展開図である。
【発明を実施するための最良の形態】
【００１５】
以下，この発明による薄型直方体カートンを詳細に説明する。
【実施例１】
【００１６】
図１は第１実施例の薄型直方体カートンの展開図を示している。図２は第１実施例の薄型直方体カートンの組み立ての様子を底面がわから見た斜視図である。図３は第１実施例の薄型直方体カートンを底面がわから見た斜視図である。
【００１７】
図１は薄型直方体カートン１を形成する厚紙の型紙（展開図）を示しており，薄型直方体カートン１に組み立てたときの外側となる面を見たものである。一点鎖線は薄型直方体カートン１を組み立てるときの折り線を示している。折り曲げを容易にするために，一点鎖線に沿って押し罫加工，ハーフカット，ミシン目の形成等が行われる。
【００１８】
図１を参照して，右側面パネル11，正面パネル12，左側面パネル13，背面パネル14および糊代パネル15が横向きに連設されている。右側面パネル11，正面パネル12，左側面パネル13，背面パネル14および糊代パネル15はいずれもその幅（横方向の長さ）に比べて高さ（縦方向の長さ）が高く，縦向きの長方形の形状を持つ。
【００１９】
正面パネル12の上縁に外側天面パネル21が連設され，背面パネル14の上縁に内側天面パネル22が連設されている。正面パネル12の下縁には外側底面パネル31が連設され，背面パネル14の下縁には内側底面パネル32が連設されている。外側天面パネル21，内側天面パネル22，外側底面パネル31，内側天面パネル32は横向きの長方形の形状を持つ。左右の側面パネル11，13の上下縁にはさらにフラップ41がそれぞれ連設されている。
【００２０】
外側底面パネル31および内側底面パネル32のそれぞれに，パネル31,32をほぼ二分する，長手方向にのびる折り線51が形成されている。
【００２１】
薄型直方体カートン１は次のようにして組み立てられる。すなわち，左側面パネル13と背面パネル14の境界で型紙を折り畳み，正面パネル12と右側面パネルの境界も折り畳む。重なり合う糊代パネル15と右側面パネル11とを接着して筒状とし，その後に隣接するパネル間の角度が直角となるように起函する。上下面が開口する角筒が作られる。
【００２２】
図２，図３を参照して，左右の側面パネル11，13の上縁に連設されたフラップ41を内向きに直角に折る。背面パネル14の上縁の内側天面パネル22を内向きに直角に折る。最後に正面パネル12の上縁の外側天面パネル21を内向きに直角に折り，外側天面パネル21の内面と内側天面パネル22の外面を接着する。角筒の天面（上面）が閉じられる。
【００２３】
開口する底面（下面）から角筒内に，医薬品，化粧品，菓子等の内容物が入れられ，その後に底面開口も閉じられる。左右の側面パネル11，13の下縁のフラップ41を内向きに直角に折る。次に，正面パネル12の下縁に連設された内側底面パネル31および背面パネル14の下縁に連設された外側底面パネル32を，それぞれ折り線51に沿って外向きに折り（逆折り），くせをつける。最後に背面パネル14の下縁に連設された内側底面パネル32を内向きに直角に折り，正面パネル12の下縁に連設された外側底面パネル31を内向きに直角に折り，外側底面パネル31の内面と内側底面パネル32の外面とを接着する。角筒の底面が閉じられ，薄型直方体カートン１（図３）が完成する。
【００２４】
図３を参照して，上述したように，外側，内側底面パネル31，32を折り線51に沿って外向きに折ることで外側，内側底面パネル31，32にあらかじめ折りくせが与えられているので，完成した薄型直方体カートン１の外側，内側底面パネル31，32は，側方からみて内向きに鈍角に屈曲して凹む形状を持ち，折り線51を頂部とする斜辺を形成する。
【００２５】
型紙を折ることで立体的につくられるカートンは紙が持つ弾性（反発力）によって折られる前の状態に戻ろうとする力がパネルに働く。正面パネル12の下縁に連設された外側底面パネル31は内向きに折られるので，外向きの力が生じる。背面パネル14の下縁に連設された内側底面パネル32も内向きに折られるので，外向きの力が生じる。外向きの力は正面パネル12と外側底面パネル31の境界，および背面パネル14と内側底面パネル32の境界に働く。外側，内側底面パネル31，32は接着されているので，側方からみて外方（下方）に反る湾曲を生じがちである。
【００２６】
ここで，外側，内側底面パネル31，32には，上述のように折り線51に沿ってあらかじめ折られることで内向きに凹む折りくせがあらかじめ付けられているので，外側，内側底面パネル31，32がある程度外方に反っても，接地箇所（正面パネル12の下縁および背面パネル14の下縁）を大きく超えて外方に突出しにくく，したがって薄型直方体カートン１の自立を不安定にすることがない。
【００２７】
また薄型直方体カートン１は切込みを用いて脚部を形成するものではないので，切込みによる隙間（孔）ができることもなく，カートン１内への塵埃の侵入を防止することができる。
【実施例２】
【００２８】
図４および図５は第２実施例を示すもので，図４は第２実施例の薄型直方体カートンを形成する厚紙の型紙を，図５は組み立てが完成した薄型直方体カートンとカートンを自動製函する製函装置の一部を概略的に示す斜視図を，それぞれ示している。図１〜図３に示す第１実施例の薄型直方体カートン１とは，左右の側面パネル11，13とこれらの下縁に連設されたフラップ41の境界の折り線53が，側面パネル11，13の上縁に向けて屈曲して形成されている点が異なる。また，第１実施例では外側，内側底面パネル31，32を接着する前に折り線51に沿ってあらかじめ逆折りしてくせをつけるのに対し，第２実施例ではあらかじめくせを付けずに，カートンを直方体状に形成した後に（外側，内側底面パネル31，32を接着後，接着剤が固まらないうちに），外側，内側底面パネル31，32をカートン内に向けて押し込むようにして折り線51に沿って曲げ，これによって外側，内側底面パネル31，32に内向きのくせをつける点が相違する。このことは以下に説明する他の実施例も同様である。
【００２９】
型紙から薄型直方体カートン２を製函する製函装置では，薄型直方体カートン２がレール61上を横向きに移動する。外側，内側底面パネル31，32を内向きに曲げるときに，押さえ板（押し型）63が外側底面パネル31の外面に押し付けられる。押さえ板63を押し付けたときにカートン２が移動するのを防止するために，製函装置には上下に進退駆動するストッパ62が設けられている。
【００３０】
押さえ板63は断面山型の屈曲面を備え，屈曲面（凸面）が外側底面パネル31の外面に押し付けられることで，外側，内側底面パネル31，32が折り線51に沿って内向きに曲げられてくせが付けられる。また，第２実施例の薄型直方体カートン２は，側面パネル11，13の下縁（側面パネル11，13とこれらの下縁に連設されたフラップ41の境界の折り線53）が側面パネル11，13に向けて屈曲して形成されているので，折り線51に沿って内向きに曲げられる外側，内側底面パネル31，32が側面パネル11，13によって邪魔されることがない。外側，内側底面パネル31，32の全体を，折り線51に沿って内向きにしっかりと屈曲させることができる。
【００３１】
押し型の形状と押し込む方法はこれに限らず，例えば円盤状の押し型の縁を底面パネルに押し当て，カートンの移動と同期するように回転させてもよい。またカートンの移動を間欠式にして，停止時に突き当て部材を底面パネルに押し込むようにしてもよい。要は糊が固まる前に底面パネルに内側の応力を与えて，外に膨らむ反発を押えておくことが肝心である。
【実施例３】
【００３２】
図６および図７は第３実施例を示すもので，図６は第３実施例の薄型直方体カートンを形成する厚紙の型紙を，図７は完成した第３実施例の薄型直方体カートンを底面がわから見た斜視図をそれぞれ示している。外側，内側底面パネル31，32に折り線51が形成されていず，外側，内側底面パネル31，32は内向きに湾曲して曲げられる点が，外側，内側底面パネル31，32を折り線51に沿って内向きに鈍角に屈曲させる第２実施例の薄型直方体カートン２と異なる。また，側面パネル11，13の下縁（側面パネル11，13とこれらの下縁に連設されたフラップ41の境界の折り線55）が側面パネル11，13の上縁に向けて湾曲して形成されている点も，屈曲して形成されている第２実施例の折り線53と異なる。
【００３３】
第３実施例においても，押さえ板（図示略）を外側，内側底面パネル31，32に押し付けることによって，外側，内側底面パネル31，32は内向きに曲げられる。外向きに突出する湾曲面を備える押さえ板を外側底面パネル31に押し付けることによって，外側，内側底面パネル31，32に内向きに湾曲するくせを付けることができる。側面パネル11，13の下縁（側面パネル11，13とこれらの下縁に連設されたフラップ41の境界の折り線55）が側面パネル11，13に向けて湾曲して形成されているので，内向きに湾曲して曲げられる外側，内側底面パネル31，32が側面パネル11，13によって邪魔されることがなく，外側，内側底面パネル31，32の全体を内向きにしっかりと湾曲させることができる。
【実施例４】
【００３４】
図８および図９は第４実施例を示すもので，図８は第４実施例の薄型直方体カートンを形成する厚紙の型紙を，図９は完成した第４実施例の薄型直方体カートンを底面がわから見た斜視図をそれぞれ示している。
【００３５】
長手方向にのびる折り線51に加えて，外側，内側底面パネル31，32のそれぞれの左右の両側部に，パネル31，32の四隅のそれぞれと折り線51とを斜めに結ぶ折り線57が形成されている点が，第１実施例の薄型直方体カートン１（図１）と異なる。
【００３６】
外側，内側底面パネル31，32の四隅と折り線51とを斜めに結ぶ斜め折り線57が形成されているので，外側，内側底面パネル31，32の中央部分が凹む形状を，薄型直方体カートン４に付与することができる。
【００３７】
斜め折り線57を形成する場合には，外側，内側底面パネル31，32の長手方向に形成される折り線51は，外側，内側底面パネル31，32の左右両側縁に至るまで（端から端まで）形成せずに，両側縁の近くまでにとどめて形成してもよい。正面パネル12の下縁および背面パネル14の下縁のみならず，左右の側面パネル11，13の下縁も接地に用いることができる。
【００３８】
斜め折り線57は少なくとも外側底面パネル31に形成すればよく，内側底面パネル32に形成する必要は必ずしもない。また，内向きにくせ付けられる外側底面パネル31と干渉しないように内側底面パネル32を切り欠いてもよい。図１０は内側底面パネル32に切欠き71を形成した変形例の薄型直方体カートン５の展開図を示している。切欠き71の大きさは外側底面パネル31と内側底面パネル32との接着に必要とされる範囲を残して形成される。外側底面パネル31を内向きに十分に屈曲または湾曲させることができる。
【符号の説明】
【００３９】
１，２，３，４，５  薄型直方体カートン
11  右側面パネル
12  正面パネル
13  左側面パネル
14  背面パネル
31  外側底面パネル
32  内側底面パネル
51，53，55，57  折り線
71  切欠き
【図１】
2019156476.tif 000003
【図２】
2019156476.tif 000004
【図３】
2019156476.tif 000005
【図４】
2019156476.tif 000006
【図５】
2019156476.tif 000007
【図６】
2019156476.tif 000008
【図７】
2019156476.tif 000009
【図８】
2019156476.tif 000010
【図９】
2019156476.tif 000011
【図１０】
2019156476.tif 000012